(57)【要約】      （修正有）【課題】収納ボックスの改良構造を提供する。【解決手段】各種の物品を収納ボックス１の上端開口部周辺はあらかじめ突起部１２を形成し、それぞれの収納ボックスが開口部が下向きに延ばす中空状の受け入れセクション１４を隣り合う収納ボックスの対応する突起部に嵌め込み、収納ボックス同士を重ね合わせたとき、互いに方向を制限して置き、複数の収納ボックスを上方向に重ね合わせたとき、上端の開口部が圧迫され外側に広がることを避けることができる。【選択図】図１
0003198748.tif 000002
【実用新案登録請求の範囲】
【請求項１】
物品を収納する収納ボックスを上方向に重ね合わせたとき、収納ボックスの上端開口部が圧迫されて変形することを防止できる収納ボックスの改良構造であって、
前記収納ボックスの上端開口部の周りに、あらかじめ設計されたセクションに複数の突起部を設け、各前記突起部に対応する前記収納ボックスが開口部周りの下向きの場所に、中空状の受け入れセクションを延ばし、
前記複数の収納ボックスを重ね合わせるとき、上部にある前記収納ボックスの下向きの場所にある前記それぞれの受け入れセクションを下部にある前記収納ボックスの前記突起部に嵌め込み、上下に隣り合う前記収納ボックス同士に確実な方向制限を形成することによって、前記収納ボックスを上方向に重ね合わせた場合、下部にある前記収納ボックスの上端開口部が圧迫され外側に広がることを避けることができることを特徴とする、収納ボックスの改良構造。
【請求項２】
前記収納ボックスの上端開口部の周りに形成されるそれぞれの前記突起部の高さは、外層部よりおよそ１／２大きいかまたは同一であることを特徴とする、請求項１に記載の収納ボックスの改良構造。
【請求項３】
前記収納ボックスを上下に隣り合わせて重ね合わせたとき、互いに安定した嵌め込みを維持し、後日に前記収納ボックスを少ない力で上にスライドさせて取り出せるように、前記収納ボックスが下向きに延ばす、それぞれの前記中空状の受け入れセクションの深さは、開口部上端の前記突起部より深く設けることを特徴とする、請求項１に記載の収納ボックスの改良構造。
【考案の詳細な説明】
【技術分野】
【０００１】
本考案は収納ボックスの改良構造に関し、主に各種の物品の収納ボックスの上端開口部周辺はあらかじめ突起部を形成し、それぞれの収納ボックスは開口部が下向きに延ばす中空状の受け入れセクションを隣り合う収納ボックスの対応する突起部に嵌め込み、収納ボックス同士を重ね合わせたとき、互いに方向を制限して置き、複数の収納ボックスを上方向に重ね合わせたとき、上端の開口部が圧迫され外側に広がることを避けることができる。
【背景技術】
【０００２】
各種の物品を収納する収納ボックスの形態は非常に多く存在している。そのうち、コンパクトで、しかも簡単に搬送でき、形をあらかじめ設定されたプラスチック部材で成形されたボックス体が普及している。既存の収納ボックスは基本的に、強靱なプラスチック部材を一体成形してあらかじめ設計されたスタイルのボックス体であり、そのボックス体の上端開口部周りが外部に曲がり逆Ｕ字の縁を形成して、設定された物品を入れた後に、対応の蓋体を密着して被せることができる。
【考案の概要】
【考案が解決しようとする課題】
【０００３】
この種の収納ボックスを適用すれば、物品収納の機能を有することは確かである。しかし、ボックス体の全体に適切な耐圧特性を得るために、やや軟質なプラスチック部材で成形しなければならないため、多くのボックス体を重ね合わせずに使用する場合には、その上端の開口部が外側に広がってしまい、複数のボックス体を上方向に重ね合わせた場合は、下部にあるボックス体が圧迫されて変形を引き起こす。
【課題を解決するための手段】
【０００４】
本考案は既存の物品を収納する収納ボックスが使用されないとき、上方向に重ね合わせた場合下部にある収納ボックスが上部から重量によって、外側に広がる現象を克服し、すべての収納ボックスの上端開口部であらかじめ設計された突起部によって、それぞれの収納ボックスの開口部周りが下方に延ばす中空状の受け入れセクションを隣接する収納ボックスの対応する突起部に嵌め込み、収納ボックス同士を重ね合わせるとき、方向を制限することによって、複数の収納ボックスを上方向に重ね合わせた場合、上端開口部が圧迫によって、外側に広がらないことを達成できる。
【０００５】
本考案の主な目的は、物品を収納する収納ボックスを上方向に重ね合わせたとき、収納ボックスの上端開口部が圧迫され変形することを防止する、収納ボックスの改良構造を提供する。技術手段として、収納ボックスの上端開口部の周りのあらかじめ設計されたセクションに複数の突起部を形成し、前記突起部に対応した収納ボックスの開口部周りは下方に中空状の受け入れセクションを形成して、複数の収納ボックスを重ね合わせたときに、上部にある収納ボックスの下向きの場所の受け入れセクションを下部にある収納ボックスの対応した方向にある突起部に嵌め込むことによって、上下に重ね合わせた収納ボックス同士に確実な方向制限を形成して、下部にある収納ボックスの上端部が圧迫よって、外側に広がることを避ける。
【０００６】
本考案の第２の目的は、収納ボックスの改良構造を提供する。収納ボックスの上端開口部周りに形成する突起部の高さは、外層部よりおよそ１／２大きいかまたは同一に実施する。
【０００７】
本考案の第３の目的は、収納ボックスの改良構造を提供する。収納ボックスを重ね合わせたとき、上下に隣り合わせた収納ボックス同士の間に安定した嵌め込みを維持するため、収納ボックスの開口部周りが下向きに延ばす受け入れセクションの深さは、開口部上端の突起部より深く設ける。
【０００８】
そのため、本考案は前述した収納ボックスを重ね合わせたとき引き起こし易い、上端開口部が次第に外側へ広げられる課題を改善し、収納ボックスを複数に重ね合わせていても同じ開口の形態が維持され、収納ボックスの開口部が圧迫により外側に広がる現象を避けられる。
【図面の簡単な説明】
【０００９】
【図１】本考案の収納ボックスの立体図である。
【図２】本考案の収納ボックスの上面図である。
【図３】図２のＡ−Ａ線断面の概略図である。
【図３−１】図３のＢ部位に示す拡大詳細図である。
【図４】本考案の複数の収納ボックスを重ね合わせる前の概略図である。
【図５】本考案の複数の収納ボックスを重ね合わせた後の側面図である。
【図５−１】図５のＣ部位に示す拡大断面図である。
【図５−２】図５のＤ部位に示す拡大断面図である。
【考案を実施するための形態】
【実施例】
【００１０】
収納ボックスの改良構造は図１に示すように、主に物品を収納する収納ボックス１を複数に上方向に重ね合わせたとき、収納ボックス１上端開口部が重量によって圧迫され変形することを防止できる技術手段として、収納ボックス１の上端開口部周り１１があらかじめ設計されたセクションに複数突起部１２を設け、それぞれの突起部１２の高さは、外層部１３よりおよそ１／２大きいかまたは同一に実施する（図３−１を参照）ことと、前記それぞれの突起部１２に対応した収納ボックス１が開口部周り１１の下向きの場所に中空状の受け入れセクション１４を延ばす（図２、図３を参照）。それぞれの受け入れセクション１４の深さは開口部上端周り１１の突起部１２より深い（図３−１参照）。
【００１１】
前記複数の収納ボックス１を重ね合わせないとき（図４を参照）は、それぞれの収納ボックス１の開口部周り１１は下向きに延ばす中空状の受け入れセクション１４を隣り合う収納ボックス１の対応する突起部１２に安定な方向に嵌め込み（図５、図５−１、図５−２を参照）、収納ボックス１同士を重ね合わせたときに、互いに方向を制限して置き、複数の収納ボックス１を上方向に重ね合わせたとき、上端開口部が重量によって外側に広がることを避ける。さらに収納ボックス１同士に適切な間隔を置いて架設することにより、使用者が後日に収納ボックス１を取り出すときに、少ない力で上にスライドさせて取り出すことができる。
【符号の説明】
【００１２】
１    収納ボックス
１１  周り
１２  突起部
１３  外層部
１４  受け入れセクション
【図１】
0003198748.tif 000003
【図２】
0003198748.tif 000004
【図３】
0003198748.tif 000005
【図３−１】
0003198748.tif 000006
【図４】
0003198748.tif 000007
【図５】
0003198748.tif 000008
【図５−１】
0003198748.tif 000009
【図５−２】
0003198748.tif 000010